(57)【要約】【要約書】【課題】本発明は、障害品受付管理情報を自動作成するためのディスクの収容装置を提供する用途に適用できる。【解決手段】障害品のディスクを接続するディスク接続手段と、ディスクの障害品受付管理情報を記憶する障害品受付管理情報記憶手段と、接続されたディスクの特定領域に格納されているディスク情報を読取るディスク情報読取り手段と、障害発生状況についての障害情報を入力する障害情報入力手段と、読取られたディスク情報、入力された障害情報を障害品受付管理情報に登録する障害品受付管理情報登録手段と、を有することを特徴とするディスクの収容装置。【選択図】図１
2007004388.tif 000002
【特許請求の範囲】
【請求項１】
障害品のディスクを接続するディスク接続手段と、
ディスクの障害品受付管理情報を記憶する障害品受付管理情報記憶手段と、
接続されたディスクの特定領域に格納されているディスク情報を読取るディスク情報読取り手段と、
障害発生状況についての障害情報を入力する障害情報入力手段と、
読取られたディスク情報、入力された障害情報を障害品受付管理情報に登録する障害品受付管理情報登録手段と、
を有することを特徴とするディスクの収容装置。
【請求項２】
ディスクの初期診断を行う初期診断手段を有することを特徴とする請求項１記載のディスクの収容装置。
【発明の詳細な説明】
【技術分野】
【０００１】
本発明は、ディスクの収納装置に関する。
【背景技術】
【０００２】
従来は、障害品の単体ディスクを管理する際、現品は専用の複数のトレイを有するディスクの収納棚に収納し、現品に貼付のディスク情報および現品に添付の障害伝票を見ながら、型格、シリアル番号、障害情報等の必要情報を電子ファイル等の障害管理用の障害品受付管理情報のファイルに入力して障害品の管理を行っている。
【０００３】
しかし、現在は、ディスク装置自体の管理と、障害情報等の管理とが分離しているため、障害品と障害情報等の２元管理が必要となっている。
【０００４】
この問題を解決するため、ディスク装置に障害が発生すると、障害を検出したプロセッサが、ディスクに時刻とともに障害情報を記録する方式が提案されている (特許文献１参照)。
【特許文献１】特開２００１−５６９７号公報（第３頁第４欄第２１〜２６行）
【発明の開示】
【発明が解決しようとする課題】
【０００５】
しかし、特許文献１では、障害品に障害情報が格納されるため、一元管理は可能であるが、複数の障害品と障害情報等をまとめて一元管理する収納装置については、開示されていない。
【０００６】
また、障害品のディスクの初期診断では、診断用装置、サーバの機器を準備し、現品管理や診断結果のまとめを別途行っているが、その準備等に工数がかかってしまう。
【０００７】
本発明により、障害品と障害情報の障害品受付管理情報を自動生成することができる装置の提供および障害品受付管理情報の自動生成から障害品の初期診断まで自動化することのできるディスクの収納装置を提供することを目的とする。
【課題を解決するための手段】
【０００８】
本発明のディスクの収納装置は、障害品のディスクを接続するディスク接続手段と、ディスクの障害品受付管理情報を記憶する障害品受付管理情報記憶手段と、接続されたディスクの特定領域に格納されているディスク情報を読取るディスク情報読取り手段と、障害発生状況についての障害情報を入力する障害情報入力手段と、読取られたディスク情報、入力された障害情報を障害品受付管理情報に登録する障害品受付管理情報登録手段とを有する構成である。
【０００９】
この構成により、搭載された障害品のディスクのディスク情報と障害情報が、障害品受付管理情報に自動登録されるので、障害品管理が容易になり、工数削減を実現できる。
【００１０】
また、ディスクの初期診断を行う初期診断手段を有する構成である。
【００１１】
この構成により、障害品受付管理情報をもとに、自動的に初期診断を行うことで、診断のための準備が不要となり、工数削減を実現できる。
【発明の効果】
【００１２】
本発明により、障害品受付管理情報を自動生成することができ、また、初期診断も自動化できるので、障害品の管理工数、試験工数の削減ができる。
【発明を実施するための最良の形態】
【００１３】
（実施例１）
図３に実施例のディスクの収納システムの説明図を示す。
【００１４】
ディスクの収納装置１とネットワークを経由してＰＣが接続されるシステムである。ＰＣからディスクの収納装置１の記憶部３を検索等することができる。
【００１５】
図１に実施例のディスクの収納装置の構成図を示す。
【００１６】
本発明のディスクの収納装置１は、接続部２と記憶部３と制御部４と入力部５と通信制御部６と表示部７とを有する。
【００１７】
図２に実施例のディスクの収納装置の外観図を示す。
【００１８】
ディスクの収納装置１の外観は、複数のディスクを収納する棚の形態である。
【００１９】
接続部２は、ディスクをディスクの収納装置１のスロットに沿って挿入したときに、接続されるコネクタ等のインタフェース部を有し、制御部４等と接続されて、ディスク内のデータのリードライトが実行される。
【００２０】
記憶部３は、障害品受付管理情報を格納している。このデータは、ディスクから読み込まれるデータ、入力部５から入力されるデータ、ネットワークを経由して通信制御部６から入力されるデータ等により構成される。
【００２１】
図５に、障害品受付管理情報の説明図を示す。
【００２２】
障害受付管理情報として、各スロット毎に、型格、ＳＮ（シリアル番号）、ＷＷＮ（World Wide Name）のディスク情報、障害発生情報、顧客情報、ディスクを搭載する装置名称等の障害情報を登録している。
【００２３】
制御部４は、ディスクの収納装置１全体を制御するためのものである。ディスクからのディスク情報の読取り、ディスクの初期診断、ネットワークに繋がるＰＣとのデータの送受信を制御する。
【００２４】
入力部５は、操作者により、障害情報等を入力するためのキーボード等である。
【００２５】
通信制御部６は、ネットワークを介して、外部のＰＣ（パーソナルコンピュータ）等の端末との通信を制御するものである。ディスクの収納装置１をサーバとして使用する形態でもよい。
【００２６】
表示部７は、入力部５からの入力内容の表示、記憶部３の内容を検索するための表示等を行うためのものである。
【００２７】
ディスクの収納装置１の使用環境として、単体或いはネットワークサーバとして遠隔操作をすることが可能である。
【００２８】
図４に、実施例のディスクの収納装置の処理の流れ図を示す。
【００２９】
まず、ディスクをディスクの収納装置１のスロットに挿入し、接続部２と接続する。接続により、ディスク内の特殊領域に保持されているディスク情報を読取る。例えば、型格、シリアルNo、稼働機暦などである（Ｓ１ステップ）。
【００３０】
読取り可否を判断する（Ｓ２ステップ）。
【００３１】
ディスクの故障により情報が読み取れないものについては、その旨を表示部７に表示し、ディスク起動不可能である事の情報を残す（Ｓ３ステップ）。この場合は、次工程のディスクを搭載した例えばサーバ装置等の総合試験へは進めない。
【００３２】
読取り可の場合は、各スロット単位のディスク情報を記憶部３の各スロット単位の障害品受付管理情報のファイルに登録する（Ｓ４ステップ）。
【００３３】
次に、ディスクからの読取情報以外の障害情報を保管する場合は、入力部５より入力し、記憶部３の各スロット単位の障害品受付管理情報のファイルに登録する（Ｓ５ステップ）。例えば、顧客情報、ディスクが使用されている装置名、障害発生状況等である。このとき、外部の保守エンジニアのＰＣからネットワークを経由しての顧客情報、装置名、障害発生状況等のデータを通信制御部６を経由して入力することも可能である。
【００３４】
次に、ディスク初期診断を行う（Ｓ６ステップ）。初期診断は、障害品受付管理情報の生成後、自動的に実施することもできるし、操作者の指示により行う形態も可能である。
【００３５】
スロット単位で診断内容、領域、診断時間を指定することが可能である。診断としては、例えば、Spin up試験（電源投入時のディスクの回転開始試験）、Spin down試験（電源切断時のディスクの回転停止試験）、Read試験、Write試験、Verify試験等を行う。
【００３６】
診断中の履歴がログされ、スロット単位の障害発生状況がデータ化され、記憶部３の各スロット単位の障害品受付管理情報のファイルに登録される（Ｓ７ステップ）。
【００３７】
また、付帯作業として、ディスク起動が可能な物は、ディスクユーザエリア内のデータ消去（Over Write）を実施する。
【００３８】
記憶部３に保管されたデータは、工場での障害品受付管理情報とし、次工程のディスクを搭載した例えばサーバ装置等の総合試験で継続して使用する。これらのデータは、品質管理資料の集計データとしても活用が可能である。
【産業上の利用可能性】
【００３９】
本発明は、障害品受付管理情報を自動作成するためのディスクの収納装置を提供する用途に適用できる。
【図面の簡単な説明】
【００４０】
【図１】実施例のディスクの収納装置の構成図
【図２】実施例のディスクの収納装置の外観図
【図３】実施例のディスクの収納システムの説明図
【図４】実施例のディスクの収納装置の処理の流れ図
【図５】障害品受付管理情報の説明図
【符号の説明】
【００４１】
１  ディスクの収納装置
２  接続部
３  記憶部
４  制御部
５  入力部
６  通信制御部
７  表示部
【図１】
2007004388.tif 000003
【図２】
2007004388.tif 000004
【図３】
2007004388.tif 000005
【図４】
2007004388.tif 000006
【図５】
2007004388.tif 000007